(57)【特許請求の範囲】
【請求項１】
家具のケコミ部に引き出し自在に配設されてなるケコミ収納装置において、該ケコミ収納部の前面側に取り付けられた鏡板の下方奥行側に形成される段部に、足のつま先部分との衝突力を緩衝する手段を配設し、該緩衝手段は、軟質体がボールジョイントを介して回動自在に軸支されていることを特徴とするケコミ収納装置。
【請求項２】
家具のケコミ部に引き出し自在に配設されてなるケコミ収納装置において、該ケコミ収納部の前面側に取り付けられた鏡板の下方奥行側に形成される段部に、足のつま先部分との衝突力を緩衝する軟質体で略Ｌ字状に形成されてなる緩衝手段を配設し、該緩衝手段は、垂直片部とこの垂直片部の下端から水平方向に延設された空隙部を有する緩衝部と、から構成され、上記垂直片部の裏面側には、断面形状が楔形状の係止部を突設し、該係止部は、前記鏡板の下部前面に開設された係止孔に圧入され係止されることを特徴とするケコミ収納装置。
【請求項３】
前記垂直片部の上端部に傾斜面部を形成し、該傾斜面部は、前記鏡板の係止孔を画成する上辺部の傾斜面部と当接可能に形成されていることを特徴とする請求項２に記載のケコミ収納装置。
【請求項４】
前記緩衝部の上面部は、鏡板の下辺部と若干の隙間を有して取り付けられるように形成されていると共に、該上面部には、鏡板の下辺部と当接する突部が突設されていることを特徴とする請求項２又は請求項３のいずれかに記載のケコミ収納装置。
【請求項５】
家具のケコミ部に引き出し自在に配設されてなるケコミ収納装置において、該ケコミ収納部の前面側に取り付けられた鏡板の下方奥行側に形成される段部に、足のつま先部分との衝突力を緩衝する手段を配設し、該緩衝手段は段部前面側に設けられ、断面形状が略三角形状に形成された軟質体からなることを特徴とするケコミ収納装置。
【発明の詳細な説明】
【０００１】
【発明の属する技術分野】
この発明は、流し台や洗面台等の家具のケコミ部に引き出し自在に取り付けられたケコミ収納装置に係り、特に、ケコミ収納体を引き出したときに、利用者のつま先部分がケコミ収納体の鏡板下方に形成された段部に衝合したり挟まれて怪我をする心配がないケコミ収納装置に関する。
【０００２】
【従来の技術】
従来のこの種の家具に適用されるケコミ収納装置は、図１１に示すように、凹状に形成された収納部１と、この収納部１の下部２に配設されたガイドローラ（図示せず）と、家具のケコミ部開口両側部に取り付けられ上記ガイドローラを転動自在に嵌合するガイドレール３と、上記下部２の前面側にビス４を介して固着される逆Ｌ字状の鏡板取付具５と、この鏡板取付具５の上端垂直片部５Ａにビスを介して固着された鏡板６と、で引き出し自在に構成されていた。
【０００３】
しかしながら、上記従来のケコミ収納装置にあっては、上記収納部１の下部２に取り付けられた鏡板取付具５の下端部に段部７が形成されるため、上記収納部１を手前側（図１２左側）に引き出したときに、利用者のつま先Ｆが上記段部７と床面８との間に挟まれ、つま先Ｆが段部７の鋭角部７Ａに引掻かれて怪我をし易い、いう問題を有していた。
【０００４】
図１２は、上記従来の問題を解決する手段である。
【０００５】
【特許文献１】
特開２００２−１１９３４３号
【０００６】
この特許文献１に記載された従来技術は、蹴込み板２４の下部に合成樹脂弾性体の安全蹴込み板２４’を継ぎ足し、その下に安全フラップ２０ ’を連設して着脱可能な嵌め殺し構造に構成すると共に、下端まで安全蹴込み板２４’を延設して構成されている。
【０００７】
【発明が解決しようとする課題】
しかしながら、上記従来の嵌め殺し構造のものにあっては、ケコミ収納体の下部に安全蹴込み板２４ ’を嵌合固定しなければならない構造であるため、一度ケコミ収納体を引き出した後、これを嵌合固定し、次に安全蹴込み板２４’ が嵌合されたケコミ収納体を家具のケコミ部に装着しなければならない構造であるため、安全蹴込み板２４’の装着作業が非常に煩雑であり、また、経時使用すると、軟質弾性体の強度劣化に伴い、つま先と衝合した際に、安全蹴込み板２４’が外れてしまい易い、という問題を有していた。
【０００８】
この発明は、かかる現状に鑑み創案されたものであって、その目的とするところは、ケコミ収納装置を引き出しても、つま先が上記段部に引掻かれて怪我をする心配がなく、しかも、取り付けが簡単で安全なケコミ収納装置を提供しようとするものである。
【０００９】
【課題を解決するための手段】
上記目的を達成するため、この発明にあっては、家具のケコミ部に引き出し自在に配設されてなるケコミ収納装置を技術的前提とし、該ケコミ収納部の前面側に取り付けられた鏡板の下方奥行側に形成される段部に、足のつま先部分との衝突力を緩衝する手段を配設し、該緩衝手段は、軟質体がボールジョイントを介して回動自在に軸支されていることを特徴とするものである。
【００１０】
また、家具のケコミ部に引き出し自在に配設されてなるケコミ収納装置において、該ケコミ収納部の前面側に取り付けられた鏡板の下方奥行側に形成される段部に、足のつま先部分との衝突力を緩衝する軟質体で略Ｌ字状に形成されてなる緩衝手段を配設し、該緩衝手段は、垂直片部とこの垂直片部の下端から水平方向に延設された空隙部を有する緩衝部と、から構成され、上記垂直片部の裏面側には、断面形状が楔形状の係止部を突設し、該係止部は、前記鏡板の下部前面に開設された係止孔に圧入され係止されることを特徴とするものである。
【００１１】
さらに、前記垂直片部の上端部には、請求項３に記載したように、傾斜面部を形成し、該傾斜面部は、前記鏡板の係止孔を画成する上辺部の傾斜面部と当接可能に形成するのが望ましい。
【００１２】
また、この発明にあっては、請求項４に記載したように、前記緩衝部の上面部に、鏡板の下辺部と若干の隙間を有して取り付けられるように形成すると共に、該上面部には、鏡板の下辺部と当接する突部が突設して構成したことを特徴とするものである。
【００１３】
さらに、この発明にあっては、請求項５に記載したように、家具のケコミ部に引き出し自在に配設されてなるケコミ収納装置において、該ケコミ収納部の前面側に取り付けられた鏡板の下方奥行側に形成される段部に、足のつま先部分との衝突力を緩衝する手段を配設し、該緩衝手段は段部前面側に設けられ、断面形状が略三角形状に形成された軟質体からなることを特徴とするものである。
【００１４】
【発明の実施の形態】
以下、添付図面に示す実施の形態例に基づきこの発明を詳細に説明する。
【００１５】
図１と図２は、この発明の実施の第１形態例に係るケコミ収納装置を示しており、この形態例に係るケコミ収納装置は、凹状に形成された収納部１と、この収納部１の下部２に配設されたガイドローラ（図示せず）と、家具のケコミ部開口両側部に取り付けられ上記ガイドローラを転動自在に嵌合するガイドレール３と、上記下部２の前面側にビス４を介して固着される逆Ｌ字状の鏡板取付具５と、この鏡板取付具５の上端垂直片部５Ａにビスを介して固着された鏡板６と、で引き出し自在に構成されており、鏡板取付具５の下端部には、段部７が形成されている。
【００１６】
そして、この形態例では、従来の段部７の前記鋭角部７Ａ部分を切欠して傾斜面部７Ｂを形成すると共に、この傾斜面部７Ｂの長手方向（家具の幅方向）に沿って所要間隔毎に係止孔７Ｃ（図２参照）を開設すると共に、上記傾斜面部７Ｂには、断面形状が略三角形状に形成された軟質体１０が係止されている。
【００１７】
この軟質体１０は、図２に示すように、軟質合成樹脂或はゴム等の弾性体１１と、該弾性部１１の背面側傾斜面に固着された硬質部１２と、この硬質部１２の背面側長手方向に沿って突設された係止突起１３と、から構成されている。
【００１８】
従って、上記軟質体１０を上記傾斜面部７Ｂに取り付ける場合には、各係止突起１３を係止孔７Ｃに圧入し、嵌合係止させることで取り付ける。
【００１９】
この形態例に係るケコミ収納装置は、軟質体１０を段部７の傾斜面部７Ｂに取り付けて構成したので、収納部１を手前側（図１左方向）に引き出したときに、つま先Ｆが軟質体１０の弾性部１１に当って衝撃が緩衝されるため、怪我する虞が少なくなる。
【００２０】
図３と図４は、この発明の実施の第２形態例に係るケコミ収納装置を示しており、この形態例では、前記段部７の底部７Ｄを凹状に形成し、該底部７Ｄの長手方向に沿って所要間隔毎に前記係止孔７Ｃを開設すると共に、軟質体１０の弾性部１１を断面矩形状に形成し、前記係止突起１３が突設された硬質部１２を上記弾性部１１の上面に固着した他は、他の構成・作用は第１形態例と同様であるので、図面には第１形態例と同一の符号を付してその詳細な説明をここでは省略する。
【００２１】
この形態例に係るケコミ収納装置は、断面形状が矩形状に形成された弾性体１１を段部７の平底部７Ｄに取り付けて構成したので、収納部１を手前側（図１左方向）に引き出したときに、つま先Ｆに限らず足の甲であっても矩形状の弾性部１１に当って衝撃が緩衝されるため、怪我する虞が少なくなる。
【００２２】
図５と図６は、この発明の実施の第３形態例に係るケコミ収納装置を示しており、この形態例では、前記段部７の底部７Ｅを略Ｕ字状に形成し、該底部７ＥのＵ字溝内に、ボールジョイント１４を回動自在に抱持させると共に、該ボールジョイント１４から延設された杆部１５の先端部に、略菱形状に形成された軟質体１０の弾性部１１を固定した他は、他の構成・作用は第１形態例と同様であるので、図面には第１形態例と同一の符号を付してその詳細な説明をここでは省略する。
【００２３】
この形態例に係るケコミ収納装置は、断面形状が略菱形状に形成された弾性体１１をボールジョイント１４を介して段部７のＵ溝部７Ｅに回動自在に抱持させて構成したので、収納部１を手前側（図１左方向）に引き出したときに、つま先Ｆや足の甲に、上記略菱形状の弾性部１１が当っても、該弾性部１１が衝撃を緩衝しつつ奥行方向（図５右側方向）に回動するので、瞬間的な衝撃を有効に緩衝するため、怪我する虞が少なくなる。
【００２４】
図７と図８は、この発明の実施の第４形態例に係るケコミ収納装置を示しており、この形態例では、前記段部７の下部を凹状に形成し、該段部７の前板下部７Ｆの長手方向に沿って所要間隔毎に前記係止孔７Ｃを開設すると共に、軟質体１０の弾性部１１を断面略Ｌ字状片で形成すると共に、該弾性部１１の上端部裏面側に、上記係止孔７Ｃに嵌合係止される硬質部１２を突設し、該硬質部１２を上記係止孔７Ｃに嵌合係止させることで取り付けた他は、他の構成・作用は第１形態例と同様であるので、図面には第１形態例と同一の符号を付してその詳細な説明をここでは省略する。
【００２５】
この形態例に係るケコミ収納装置は、軟質体１０の弾性部１１を断面略Ｌ字状に形成したので、収納部１を手前側（図１左方向）に引き出したときに、つま先Ｆや足の甲が弾性部１１に当っても、該弾性部１１が折曲してその衝撃を緩衝するため、怪我する虞が少なくなる。
【００２６】
図９と図１０は、この発明の第５形態例に係るケコミ収納装置を示しており、この形態例では、前記略Ｌ字状に形成されてなる緩衝体２０を、硬質材で形成された垂直片部２３と、この垂直片部２３の下端から水平方向に延設された空隙部２４を有する緩衝部２５と、から構成し、上記垂直片部２３の裏面側には、断面形状が楔形状の係止部２６を突設し、該係止部２６は、前記鏡板６の下部前面に開設された係止孔７ｃに圧入され係止されるように構成されている。
【００２７】
また、前記垂直片部２３の上端部には傾斜面部２１が形成されており、該傾斜面部２１は、前記鏡板６の係止孔７ｃを画成する上辺部の傾斜面部７ｅと当接可能に形成されている。尚、この形態例では、上記傾斜面部２１の傾斜角度を略８８度〜８９度に設定している。これにより、後記するように、緩衝体２０に力が作用しても、抜け落ちるのを有効に防止することができる。
【００２８】
さらに、前記緩衝部２５の上面部２７に、鏡板６の下辺部７ｄと若干の隙間２８を有して取り付けられるように形成すると共に、該上面部２７には、鏡板６の下辺部７ｃと当接する突部２９が突設して構成されている他は、他の構成・作用は第１形態例と同様であるので、図面には第１形態例と同一の符号を付してその詳細な説明をここでは省略する。
【００２９】
それ故、この形態例に係るケコミ収納装置にあっては、垂直片部２３の上端部に形成された傾斜面部２１と前記鏡板６の係止孔７ｃを画成する上辺部の傾斜面部７ｅとが当接可能に形成されているので、図１０に示すように、矢印Ｘ方向に力が作用した場合であっても、該傾斜面部２１が突っ張りとして作用するので、楔状の係止部２６が係止孔７ｃから抜脱しにくく、また、逆に図１０矢印Ｙ方向に力が作用しても、前記突部２９が鏡板６の下辺部７ｄに弾接して力Ｙを緩衝するので、つま先Ｆに作用する衝撃をより緩衝することができる。
【００３０】
【発明の効果】
以上説明したように、この発明にあっては、ケコミ収納装置を引き出しても、つま先が上記段部に引掻かれて怪我をする心配がなく安全であり、さらには、緩衝手段の取り付け作業も簡単である、という優れた効果を奏する。
【図面の簡単な説明】
【図１】この発明の実施の第１形態例に係るケコミ収納装置の構成を示す断面図である。
【図２】同ケコミ収納装置の軟質体取付部の構成を示す説明図である。
【図３】この発明の実施の第２形態例に係るケコミ収納装置の構成を示す断面図である。
【図４】同ケコミ収納装置の軟質体取付部の構成を示す説明図である。
【図５】この発明の実施の第３形態例に係るケコミ収納装置の構成を示す断面図である。
【図６】同ケコミ収納装置の軟質体取付部の構成を示す説明図である。
【図７】この発明の実施の第４形態例に係るケコミ収納装置の構成を示す断面図である。
【図８】同ケコミ収納装置の軟質体取付部の構成を示す説明図である。
【図９】この発明の実施の第５形態例に係るケコミ収納装置の構成を示す説明図である。
【図１０】同ケコミ収納装置の詳細断面図である。
【図１１】従来のケコミ収納装置の構成を示す断面図である。
【図１２】従来のケコミ収納装置の他の構成を示す断面図である。
【符号の説明】
１  収納部
２  収納部の下部
５  鏡板取付具
６  鏡板
７  段部
７ｃ  係止孔
７ｅ  係止孔の傾斜面部
１０  軟質体
１１  弾性部
１２  硬質部
１３  係止突起
１４  ボールジョイント
２０  緩衝体
２１  傾斜面部
２３  垂直片部
２４  空隙部
２５  緩衝部
２６  係止部
２９  突部
【図１】
0004269063.tif 000002
【図２】
0004269063.tif 000003
【図３】
0004269063.tif 000004
【図４】
0004269063.tif 000005
【図５】
0004269063.tif 000006
【図６】
0004269063.tif 000007
【図７】
0004269063.tif 000008
【図８】
0004269063.tif 000009
【図９】
0004269063.tif 000010
【図１０】
0004269063.tif 000011
【図１１】
0004269063.tif 000012
【図１２】
0004269063.tif 000013